(57)【要約】【課題】特性の異なるチップソーが保持された複数のチップソー包装品が１本の商品陳列用フックに吊り下げられていても、後ろの方のチップソー包装品の取出および補充を簡単に行えるようにする。【解決手段】各チップソー包装品５はそれぞれ、チップソー６と、このチップソー６を保持して商品陳列用フック３に吊り下げる商品保持箱７とを有している。商品保持箱７は、商品陳列用フック３の横から着脱しうる状態で商品陳列用フック３に吊り下げられている。商品保持箱７には、チップソー６の特性を示す商品識別片１０が正面から視認されうるようにチップソー６の特性ごとに正面視で異なる位置に設けられている。これにより、商品陳列用フック３の横からチップソー包装品５を着脱することが可能となる。【選択図】図１
2015217029.tif 000002
【特許請求の範囲】
【請求項１】
商品本体の特性の異なる複数の商品が商品陳列用フックに吊り下げられて前後方向に並んで陳列された商品陳列構造であって、
前記各商品はそれぞれ、前記商品本体と、この商品本体を保持して前記商品陳列用フックに吊り下げる商品保持部材とを有し、
前記商品保持部材は、前記商品陳列用フックの横から着脱しうる状態で当該商品陳列用フックに吊り下げられ、
前記商品保持部材には、前記商品本体の特性を示す商品識別片が正面から視認されうるように当該商品本体の特性ごとに正面視で異なる位置に設けられていることを特徴とする商品陳列構造。
【請求項２】
商品本体の特性の異なる複数の商品が商品陳列用フックに吊り下げられて前後方向に並んで陳列された商品陳列構造であって、
前記各商品はそれぞれ、前記商品本体と、この商品本体を保持して前記商品陳列用フックに吊り下げる商品保持部材とを有し、
前記商品保持部材には、前記商品陳列用フックに挿通されるフック挿通孔と、このフック挿通孔から横向きに延伸して当該商品保持部材の周縁部に達して開口する挿抜用溝とが形成され、
前記商品保持部材には、前記商品本体の特性を示す商品識別片が正面から視認されうるように当該商品本体の特性ごとに正面視で異なる位置に設けられていることを特徴とする商品陳列構造。
【請求項３】
前記商品識別片は、前記商品保持部材の上部に位置していることを特徴とする請求項１または２に記載の商品陳列構造。
【請求項４】
前記商品は、前記商品保持部材の商品吊下片が補強部材で補強されていることを特徴とする請求項１乃至３のいずれかに記載の商品陳列構造。
【請求項５】
前記商品は、前記商品本体がチップソーであるとともに、その特性が寸法であることを特徴とする請求項１乃至４のいずれかに記載の商品陳列構造。
【請求項６】
請求項１乃至５のいずれかに記載の商品陳列構造に用いられる前記商品の前記商品保持部材であって、
前記商品本体を収容する商品収容部と前記商品識別片とを有し、
これらの商品収容部および商品識別片は、平板状の板紙を型抜きで所定の形状に抜き取った後、これを折り畳むようにして一体に形成したものであることを特徴とする商品保持部材。
【請求項７】
請求項６に記載の商品保持部材に商品本体が保持されていることを特徴とする商品。
【発明の詳細な説明】
【技術分野】
【０００１】
本発明は、例えば、ホームセンターや金物販売店などの店舗において、チップソー包装品を商品陳列用フックに吊り下げて陳列する際に適用するのに好適な商品陳列構造と、このような商品陳列構造に用いられる商品保持部材および商品とに関するものである。
【背景技術】
【０００２】
従来、この種の商品陳列構造としては、店舗のチップソー（丸鋸の刃）の売り場に多数の略丸棒状の商品陳列用フックを水平方向（売り場の壁面に直角な方向）に設置し、各商品陳列用フックにそれぞれ複数（例えば、１０枚ほど）のチップソー包装品のフック挿通孔を引っ掛けて挿通することにより、これらのチップソー包装品を前後方向に並べて吊り下げて前方にせり出すように陳列するものが提案されていた（例えば、特許文献１、２参照）。
【０００３】
そして、限られた売り場面積で種々のチップソー包装品を効率よく陳列するため、各商品陳列用フックに、特性（例えば、サイズ）の異なるチップソーが包装された複数のチップソー包装品を吊り下げて陳列することが多い。
【先行技術文献】
【特許文献】
【０００４】
【特許文献１】特開２００８−２５３６９４号公報
【特許文献２】特開２０１１−７８５７５号公報
【発明の概要】
【発明が解決しようとする課題】
【０００５】
しかしながら、このような商品陳列構造においては、特性の異なるチップソーが包装された複数のチップソー包装品が１本の商品陳列用フックに吊り下げられた状態になっている。したがって、購買者（消費者）が後ろの方のチップソー包装品を取り出すには、その前のチップソー包装品をすべて取り外して目的のチップソー包装品を取り出した後、取り外したチップソー包装品を掛け直す必要がある。これでは、購買者に面倒を掛ける不具合が生じる。また、後ろの方のチップソー包装品が売れた場合に、そのチップソー包装品を販売者（店員）が補充する際も、同様の作業が必要となり、店舗での商品補充作業に手間がかかる不都合がある。
【０００６】
こうした不都合は、チップソー包装品に限らず、他の商品（商材）についても同様である。
【０００７】
本発明は、このような事情に鑑み、特性の異なる商品本体が保持された複数の商品が１本の商品陳列用フックに吊り下げられている場合であっても、後ろの方の商品の取出および補充を簡単に行うことが可能な商品陳列構造、商品保持部材および商品を提供することを目的とする。
【課題を解決するための手段】
【０００８】
かかる目的を達成するため、請求項１に記載の発明は、商品本体の特性の異なる複数の商品が商品陳列用フックに吊り下げられて前後方向に並んで陳列された商品陳列構造であって、前記各商品はそれぞれ、前記商品本体と、この商品本体を保持して前記商品陳列用フックに吊り下げる商品保持部材とを有し、前記商品保持部材は、前記商品陳列用フックの横から着脱しうる状態で当該商品陳列用フックに吊り下げられ、前記商品保持部材には、前記商品本体の特性を示す商品識別片が正面から視認されうるように当該商品本体の特性ごとに正面視で異なる位置に設けられている商品陳列構造としたことを特徴とする。
【０００９】
また、請求項２に記載の発明は、商品本体の特性の異なる複数の商品が商品陳列用フックに吊り下げられて前後方向に並んで陳列された商品陳列構造であって、前記各商品はそれぞれ、前記商品本体と、この商品本体を保持して前記商品陳列用フックに吊り下げる商品保持部材とを有し、前記商品保持部材には、前記商品陳列用フックに挿通されるフック挿通孔と、このフック挿通孔から横向きに延伸して当該商品保持部材の周縁部に達して開口する挿抜用溝とが形成され、前記商品保持部材には、前記商品本体の特性を示す商品識別片が正面から視認されうるように当該商品本体の特性ごとに正面視で異なる位置に設けられている商品陳列構造としたことを特徴とする。
【００１０】
また、請求項３に記載の発明は、請求項１または２に記載の構成に加え、前記商品識別片は、前記商品保持部材の上部に位置していることを特徴とする。
【００１１】
また、請求項４に記載の発明は、請求項１乃至３のいずれかに記載の構成に加え、前記商品は、前記商品保持部材の商品吊下片が補強部材で補強されていることを特徴とする。
【００１２】
また、請求項５に記載の発明は、請求項１乃至４のいずれかに記載の構成に加え、前記商品は、前記商品本体がチップソーであるとともに、その特性が寸法であることを特徴とする。
【００１３】
また、請求項６に記載の発明は、請求項１乃至５のいずれかに記載の商品陳列構造に用いられる前記商品の前記商品保持部材であって、前記商品本体を収容する商品収容部と前記商品識別片とを有し、これらの商品収容部および商品識別片は、平板状の板紙を型抜きで所定の形状に抜き取った後、これを折り畳むようにして一体に形成したものである商品保持部材としたことを特徴とする。
【００１４】
さらに、請求項７に記載の発明は、請求項６に記載の商品保持部材に商品本体が保持されている商品としたことを特徴とする。
【発明の効果】
【００１５】
請求項１、２に記載の発明によれば、商品陳列用フックの横から商品を着脱できることから、特性の異なる商品本体が保持された複数の商品が１本の商品陳列用フックに吊り下げられている場合であっても、後ろの方の商品の取出および補充を簡単に行うことが可能な商品陳列構造を提供することができる。
【００１６】
また、商品保持部材に商品識別片が商品本体の特性ごとに正面視で異なる位置に設けられているので、複数の商品が１本の商品陳列用フックに吊り下げられて前後方向に並んで陳列されていても、商品本体の特性を正面から容易に視認することができる。その結果、購買者にとっては、所望の商品を素早く選んで取り出すことが可能となる。また、販売者にとっては、商品の在庫を迅速に補充することが可能となる。
【００１７】
請求項３に記載の発明によれば、商品識別片が商品保持部材の上部に位置しているので、複数の商品が左右に隙間なく並んで陳列されている場合であっても、商品識別片を正面から視認しやすくなり、ひいては商品を容易に識別することができる。
【００１８】
請求項４に記載の発明によれば、商品保持部材が補強部材で補強されているので、商品保持部材に挿抜用溝が形成されている場合であっても、この挿抜用溝の形成に伴う商品保持部材の強度低下を補うことができる。そのため、汎用の商品陳列用フックに商品を吊り下げて陳列することが可能となる。
【００１９】
請求項６に記載の発明によれば、上述した商品陳列構造に用いられる商品保持部材を提供することができる。
【００２０】
請求項７に記載の発明によれば、上述した商品陳列構造に用いられる商品を提供することができる。
【図面の簡単な説明】
【００２１】
【図１】本発明の実施の形態１に係る商品陳列構造を示す斜視図である。
【図２】同実施の形態１に係る商品保持箱を示す図であって、（ａ）はその正面図、（ｂ）はその左側面図、（ｃ）はその右側面図である。
【図３】同実施の形態１に係る商品保持箱を板紙から作製する手順を示す図であって、（ａ）は板紙準備工程図、（ｂ）は型抜き工程図、（ｃ）は折り畳み工程図である。
【図４】本発明の実施の形態２に係るチップソー包装品の正面図である。
【発明を実施するための形態】
【００２２】
以下、本発明の実施の形態について説明する。
［発明の実施の形態１］
図１乃至図３には、本発明の実施の形態１を示す。
【００２３】
実施の形態１に係る商品陳列構造１は、図１に示すように、金属製の梁（横架材）２を有しており、梁２には多数の略丸棒状の金属製の商品陳列用フック３が前方に突出するように支持されている。なお、図１には、そのうちの１本の商品陳列用フック３のみを図示している。各商品陳列用フック３にはそれぞれ、サイズの異なるチップソー６が収容された複数（図１では４枚）のチップソー包装品５が吊り下げられて前後方向に並んで陳列されている。各チップソー包装品５はそれぞれ、図２に示すように、チップソー６と、このチップソー６を収容して商品陳列用フック３に吊り下げる段ボール製の商品保持箱７とを有している。
【００２４】
この商品保持箱７は、図２に示すように、略直方体の箱状の商品収容部８と、この商品収容部８の上辺中央部に上方へ突出するように形成された商品吊下片９と、商品収容部８の上辺右寄り部に上方へ突出するように形成された商品識別片１０とを有している。さらに、商品吊下片９には、商品陳列用フック３に挿通される円形のフック挿通孔１１と、このフック挿通孔１１から横向き（図２（ａ）左方）に延伸して商品吊下片９の周縁部に達して開口する挿抜用溝１２とが形成されている。また、商品吊下片９の裏面には、この挿抜用溝１２の形成に伴う商品吊下片９の強度低下を補うべく、段ボールからなる平板状の補強部材１９が貼設されている。なお、商品収容部８の前面には、図２（ａ）に示すように、略三日月状の透視窓１３が形成されており、この透視窓１３から、商品収容部８の内部に収容されたチップソー６を視認することができる。
【００２５】
ここで、商品識別片１０は、チップソー６のサイズ（直径）を示すものであり、図１および図２（ａ）に示すように、複数のチップソー包装品５が１本の商品陳列用フック３に吊り下げられて前後方向に並んで陳列されていても正面から視認されうるように、チップソー６のサイズごとに正面視で異なる位置に設けられている。例えば、１４７ｍｍサイズのチップソー６については、商品収容部８の上辺中央部に近い部分に商品識別片１０が形成されており、この商品識別片１０に「１４７ｍｍ」と印刷されている。また、１６５ｍｍサイズのチップソー６については、商品収容部８の上辺中央部から少し右方に離れた部分に商品識別片１０が形成されており、この商品識別片１０に「１６５ｍｍ」と印刷されている。さらに、１９０ｍｍサイズのチップソー６については、商品収容部８の上辺中央部から大きく右方に離れた部分に商品識別片１０が形成されており、この商品識別片１０に「１９０ｍｍ」と印刷されている。
【００２６】
なお、商品保持箱７は、以下の手順により、所定の板紙１５から型抜きで一体に形成されて作製されたものである。
【００２７】
すなわち、まず板紙準備工程で、図３（ａ）に示すように、所定の大きさの段ボールからなる長方形平板状の板紙１５を準備する。次に、型抜き工程に移行し、図３（ｂ）に示すように、この板紙１５を抜き型（図示せず）で所定の形状に抜き取る。次いで、折り畳み工程に移行し、こうして所定の形状に抜き取られた板紙１５を所定の折曲線Ｌ１〜Ｌ４に沿って９０°折り畳んだ後、差込片１６を差込孔１７に差し込む。すると、図３（ｃ）に示すように、この板紙１５が略直方体の箱状になって固定された状態となる。最後に、切起し工程に移行し、この箱状の板紙１５において、商品吊下片９および商品識別片１０になる部位を切り起こす。すると、図２に示すように、商品保持箱７が完成する。
【００２８】
なお、商品識別片１０は、上述したとおり、チップソー６のサイズごとに正面視で異なる位置に設けられているが、抜き型の該当部分のみを変更すれば済むので、商品保持箱７の作製を容易に実施することができる。
【００２９】
そして、この商品保持箱７の商品収容部８内にチップソー６を収容すれば、チップソー包装品５が完成し、商品陳列用フック３に吊り下げられる状態となる。なお、チップソー包装品５を店舗で平積みして販売する場合には、商品保持箱７の作製に際して、上述した切起し工程は不要となる。
【００３０】
このような構成を有する商品陳列構造１においては、各チップソー包装品５の商品吊下片９にフック挿通孔１１のみならず挿抜用溝１２が形成されているので、商品陳列用フック３の横からチップソー包装品５を着脱することができる。そのため、サイズの異なるチップソー６が収容された複数のチップソー包装品５が１本の商品陳列用フック３に吊り下げられている場合であっても、後ろの方のチップソー包装品５の取出および補充を簡単に行うことが可能となる。
【００３１】
また、この商品陳列構造１においては、各チップソー包装品５の商品保持箱７に商品識別片１０がチップソー６のサイズごとに正面視で異なる位置に設けられているので、複数のチップソー包装品５が１本の商品陳列用フック３に吊り下げられて前後方向に並んで陳列されていても、チップソー６のサイズを正面から容易に視認することができる。その結果、購買者にとっては、所望のチップソー包装品５を素早く選んで取り出すことが可能となる。また、販売者にとっては、チップソー包装品５の在庫を迅速に補充することが可能となる。
【００３２】
しかも、この商品識別片１０は、商品収容部８の上辺（商品保持箱７の上部）に位置しているので、複数のチップソー包装品５が左右に隙間なく並んで陳列されている場合であっても、この商品識別片１０を正面から視認しやすくなり、ひいてはチップソー包装品５を容易に識別することができる。
【００３３】
さらに、各チップソー包装品５の商品吊下片９は、補強部材１９で補強されているので、商品吊下片９に挿抜用溝１２を形成したことに伴う商品吊下片９の強度低下を補うことができる。そのため、汎用の商品陳列用フック３にチップソー包装品５を吊り下げて陳列することが可能となる。
【００３４】
その上、各チップソー包装品５の商品保持箱７は、補強部材１９も含めて全体が段ボールから構成されているので、この商品保持箱７を廃棄するときには、材料ごとに分別することなく処分することができる。
［発明の実施の形態２］
図４には、本発明の実施の形態２を示す。
【００３５】
実施の形態２に係る商品陳列構造１は、各チップソー包装品５が、図４に示すように、厚紙からなる台紙２０と無色透明な硬質のプラスチック材料２１とからなるブリスターパック２２にチップソー６を収容したものである。また、これらの台紙２０およびプラスチック材料２１には、フック挿通孔１１が形成され、挿抜用溝１２がフック挿通孔１１から横向き（図４右方）に延伸して形成されているとともに、台紙２０の上辺左寄り部には商品識別片１０が上方へ突出するように形成されている。その他の構成については、上述した実施の形態１と基本的に同様であるので、同一の部材については、同一の符号を付してその説明を省略する。
【００３６】
したがって、この実施の形態２では、上述した実施の形態１と同じ作用効果を奏する。これに加えて、実施の形態２では、フック挿通孔１１が台紙２０のみならずプラスチック材料２１にも形成されているので、商品吊下片９に補強部材１９を設けなくても、汎用の商品陳列用フック３にチップソー包装品５を吊り下げて陳列することが可能となる。
［発明のその他の実施の形態］
なお、上述した実施の形態１、２では、商品保持部材として商品保持箱７やブリスターパック２２を採用し、これらの商品保持箱７、ブリスターパック２２にチップソー６を収容したチップソー包装品５について説明した。しかし、チップソー６は、商品保持部材に保持される限り、必ずしも商品保持部材に収容する必要はない。
【００３７】
また、上述した実施の形態１、２では、挿抜用溝１２がフック挿通孔１１から横向きに延伸して形成されている場合について説明した。しかし、この挿抜用溝１２は、例えば、斜めに形成してもＬ字形に形成しても構わない。さらに、商品陳列用フック３の横からチップソー包装品５を着脱することができる限り、フック挿通孔１１と挿抜用溝１２とが明確に分離されていないもの、例えば、市販のハンガー（図示せず）のフック部分を改造したものでもよい。
【００３８】
また、上述した実施の形態１では、段ボールからなる板紙１５から作製された商品保持箱７について説明した。しかし、この板紙１５の材料としては、段ボール以外の板紙（例えば、プラダンなど）を代用することもできる。
【００３９】
また、上述した実施の形態１、２では、チップソー６の特性としてサイズを取り上げて説明したが、サイズ以外の特性（例えば、用途、色など）を取り上げることも可能である。
【００４０】
また、上述した実施の形態１、２では、商品としてチップソー包装品５を取り上げて説明したが、商品陳列用フック３に吊り下げて陳列するものである限り、チップソー包装品５以外の商品（例えば、ダイヤモンドカッター包装品など）に本発明を同様に適用することも可能である。
【００４１】
また、上述した実施の形態１、２では、商品識別片１０が商品収容部８の上辺に形成された場合について説明したが、この商品識別片１０の形成位置は、商品収容部８の上辺に限るわけではない。例えば、チップソー包装品５を商品陳列用フック３に吊り下げた状態で、このチップソー包装品５に隣接する他の商品等との間に空間的な余裕があれば、商品収容部８の左辺または右辺に商品識別片１０を形成しても構わない。
【００４２】
さらに、上述した実施の形態１では、挿抜用溝１２の形成に伴う商品吊下片９の強度低下を補うべく、商品吊下片９を補強部材１９で補強したチップソー包装品５について説明した。しかし、商品吊下片９を補強部材１９で補強する代わりに、商品吊下片９の一部（フック挿通孔１１より上側の部分）を長くしたり、或いは、商品吊下片９全体を厚くしたりすることにより、商品吊下片９の強度を高めて、挿抜用溝１２の形成に伴う商品吊下片９の強度低下を補うことも可能である。
【産業上の利用可能性】
【００４３】
本発明は、ホームセンターや金物販売店、家電量販店、コンビニエンスストアその他の店舗において、チップソー包装品などの商品を商品陳列用フックに吊り下げて陳列する際に、幅広く適用することができる。
【符号の説明】
【００４４】
１……商品陳列構造
３……商品陳列用フック
５……チップソー包装品（商品）
６……チップソー（商品本体）
７……商品保持箱（商品保持部材）
８……商品収容部
９……商品吊下片
１０……商品識別片
１１……フック挿通孔
１２……挿抜用溝
１５……板紙
１９……補強部材
２２……ブリスターパック（商品保持部材）
【図１】
2015217029.tif 000003
【図２】
2015217029.tif 000004
【図３】
2015217029.tif 000005
【図４】
2015217029.tif 000006